(57)【要約】【課題】小型化された安価なもので、しかも高精度の計測値が得られる。【解決手段】電流検出部１１では電圧電流コンバータ２１、２２が電流検出抵抗Ｒ１１の両端からのみ電流値Ｉを検出し、電流検出部１１の出力を、利得選択スイッチ（ＳＷＧ）２４で抵抗素子Ｒ１４〜Ｒ２１により二段階の利得に選択できる。従って、電流値による切替えにばらつきが少なく、かつ小さな電流値での精度を上げることができる。勿論、複数抵抗素子の多段階の構成により、更に段階的に精度を上げることができる。抵抗素子により計測値が決定されるので安価であると共に高精度が確保できる。【選択図】      図３
2004286657.tif 000002
【特許請求の範囲】
【請求項１】
出力端子に接続される負荷に入力端子から電流検出抵抗を介して供給される電流値を前記電流検出抵抗の両端に接続してその電位差から電流値を得て出力する電流検出部を備える電流検出回路において、更に、前記電流検出部の検出した電流値を電圧変換し、変換された電圧値を増幅して電圧出力端子から外部へ出力する出力電圧増幅部を備え、かつ、前記出力電圧増幅部は、増幅する利得を複数の段階に選択設定する抵抗素子と、当該出力電圧増幅部で増幅される出力電圧の利得を、当該出力電圧を受ける外部プロセッサから受けた利得の選択指示に基づいて、前記抵抗素子を選択して利得を切り替える利得選択スイッチとを有することを特徴とする電流検出回路。
【請求項２】
請求項１において、前記出力電圧増幅部は、前記電圧出力端子から接地側にわたり直列接続され中央部に前記電流検出部の出力を接続する複数の直列抵抗素子と、前記電圧出力端子に出力を接続する演算増幅器とを備え、前記利得選択スイッチは、前記演算増幅器の反転入力端子に前記直列抵抗の前記電圧出力端子側、かつ非反転入力端子に前記直列抵抗の接地側、それぞれで増幅度の切替接点を有し、前記プロセッサから受ける利得の選択指示により、前記切替接点を駆動して前記演算増幅器の出力に対する増幅度を切り替えることを特徴とする電流検出回路。
【請求項３】
請求項１において、前記電流検出部は、前記電流検出抵抗の両端を入力しその通過電流に対する高低それぞれの範囲を検出して検出電流値として生成すると共に、前記プロセッサから受ける選択指示により高低の電流範囲を選択して切り替える電流範囲切替スイッチを有することを特徴とする電流検出回路。
【請求項４】
請求項３おいて、前記電流検出部は、前記電流検出抵抗の両端を入力端子に接続し、高電流側を検出し出力する第１の電圧電流コンバータと低電流側を検出し出力する第２の電圧電流コンバータとを備え、前記電流範囲切替スイッチは、二つの当該電圧電流コンバータの出力端子を選択して切り替える切替接点を有し、前記プロセッサから受ける電流範囲の選択指示により、前記切替接点を駆動して電流範囲の高低を切り替えることを特徴とする電流検出回路。
【請求項５】
請求項１において、前記出力電圧増幅部は、前記電圧出力端子から接地側にわたり直列接続され中央部に前記電流検出部の出力を接続する複数の直列抵抗素子と、前記電圧出力端子に出力を接続する演算増幅器とを備え、前記利得選択スイッチは、前記演算増幅器の反転入力端子に前記直列抵抗の前記電圧出力端子側、かつ非反転入力端子に前記直列抵抗の接地側、それぞれで、前記プロセッサから受ける利得の選択指示により駆動して前記演算増幅器の出力に対する増幅度を切り替える切替接点を有し、かつ
前記電流検出部は、前記電流検出抵抗の両端を入力しその通過電流に対する高低それぞれの範囲を検出して検出電流値として生成すると共に、前記プロセッサから受ける選択指示により高低の電流範囲を選択して切り替える電流範囲切替スイッチを有することを特徴とする電流検出回路。
【発明の詳細な説明】
【０００１】
【発明の属する技術分野】
本発明は、電源出力端子に接続される負荷に電源入力端子から電流検出抵抗を介して供給される電流値を、電流検出抵抗の両端に接続して得られる差電圧から検出する電流検出回路に関し、特に、精度よく電流値を計測できる電流検出回路に関する。
【０００２】
【従来の技術】
従来、この種の電流検出回路では、負荷に流れる定常電流が大きい状態における電流検出抵抗での電力消費が少なく、かつ、負荷に流れる電流が小さくなった状態における高精度の電流値検出を行うことができる電流検出回路を提供することを目的として、電流検出抵抗に並列に配置される抵抗を接続又は開放し、それぞれの状態で検出された電圧値から負荷への定常電流を計測している（例えば、特許文献１参照）。
【０００３】
図１を参照して、この電流検出回路について説明する。
【０００４】
電流検出回路１は、オン・オフ制御される出力トランジスタＱ１のエミッタ・コレクタ間に接続される電流検出抵抗Ｒ１を通して出力端子ＯＵＴ＋から負荷３に供給される電流を検出するものであって、出力トランジスタＱ１のエミッタとコレクタとの間に接続された電流検出抵抗Ｒ１と、電流検出抵抗Ｒ１の両端を入力端子に接続して両端の電圧差を差動増幅して出力する電流増幅器６とで主要部は構成される。
【０００５】
このように、電流検出抵抗Ｒ１を出力トランジスタＱ１のエミッタとコレクタとの間に接続することにより、出力トランジスタＱ１が「オン」した際には負荷３に流れる電流が大きくとも電流検出抵抗Ｒ１での電力消費が少ない。他方、出力トランジスタＱ１が「オフ」した際には負荷３に流れる電流が小さくでも、この電流は全て電流検出抵抗Ｒ１を流れるので、高精度の電流検出を行うことができる。
【０００６】
この制御のため、電流増幅器６の出力レベルが基準電圧を越えているとき、出力トランジスタＱ１を「オン」し、基準電圧以下となったとき出力トランジスタ１を「オフ」する制御手段が採用されている。制御手段として、コンパレータ７は電流増幅器６の出力する差電圧をバイアス電圧ＶＢＡと比較する。
【０００７】
すなわち、コンパレータ７は、差電圧の方が小さいとき、すなわち電流検出抵抗Ｒ１に流れる電流が小さくなったときにはハイ（Ｈ）レベルで、差電圧が大きいときにはロー（Ｌ）レベルの信号を生成してｎｐｎトランジスタＱ２のベースに供給する。トランジスタＱ２のエミッタは接地され、トランジスタＱ２のコレクタはｎｐｎトランジスタＱ３のベースに接続されると共に、定電流源９を介して入力端子Ｖｉｎに接続されている。トランジスタＱ３のコレクタは抵抗Ｒ６を介してトランジスタＱ１のベースに接続され、トランジスタＱ３のエミッタは接地端子ＧＮＤに接続されている。
【０００８】
また、コンパレータ８は、上記差電圧を上記バイアス電圧ＶＢＡより低いバイアス電圧ＶＢＢと比較して、差電圧が大きい場合にはハイ（Ｈ）レベルとなる信号を、また差電圧が小さい場合にはロー（Ｌ）レベルとなる電流制御信号をそれぞれ生成して端子ＡＤＣ−ＯＵＴから出力する。この電流制御信号が外部に備えられる計測用電圧計のレンジを切り替える。
【０００９】
すなわち、上記構成では、充電時のように、定常的に負荷３に流れる定常電流Ｉが大きい場合には、入力端子Ｖｉｎと出力端子ＯＵＴ＋との間の電圧差が大きいので、電流増幅器６の出力する差電圧がバイアス電圧ＶＢＡより大きく、コンパレータ７の出力はロー（Ｌ）レベルとなる。従って、トランジスタＱ２が「オフ」してトランジスタＱ３が「オン」となる。この結果、トランジスタＱ１が「オン」するので、負荷に供給される電流ＩはトランジスタＱ１の内部抵抗と電流検出抵抗Ｒ１とが並列接続されて低減された合成抵抗値ＲＱ１を通過する。すなわち、トランジスタＱ１のコレクタ・エミッタ間の電圧は小さくなる。
【００１０】
この負帰還動作により、トランジスタＱ１のコレクタ・エミッタ間電圧は一定の値（ＶＢＡ／ｎ）に制御される。つまり、電流検出抵抗Ｒ１の抵抗値を大きく設定してもトランジスタＱ１の「オン」により負荷３への供給電流はその多くが低抵抗値のトランジスタＱ１を通過するので、電流検出抵抗Ｒ１での電力消費は小さく、かつ動作電圧が充分に確保できる。
【００１１】
他方の放電の際には、定常電流Ｉが小さくなり、電流増幅器６が出力する差電圧がバイアス電圧ＶＢＡより低くなる。このような状態では、コンパレータ７の出力はハイ（Ｈ）レベルとなり、トランジスタＱ２が「オン」してトランジスタＱ３が「オフ」となる。従って、トランジスタＱ１が「オフ」するので、トランジスタＱ１のコレクタ・エミッタ間の電圧が大きくなる。つまり、負荷３に流れる電流は全て電流検出抵抗Ｒ１を通過する。
【００１２】
また、電流検出抵抗Ｒ１を通して負荷３に流れる電流が小さくなり、電流増幅器６の出力する差電圧がバイアス電圧ＶＢＢより低くなると、コンパレータ８の出力はハイ（Ｈ）レベルからロー（Ｌ）レベルとなる。この信号は端子ＡＤＣ−ＯＵＴから電流制御信号として外部に出力される。
【００１３】
従って、図２に示されるように、トランジスタＱ１の「オン／オフ」がコンパレータ８の出力におけるハイ（Ｈ）レベルとロー（Ｌ）レベルとになる。この切替えにより、負荷３に供給される電流値Ｉが電流値Ｉｓを境界として電圧計のレンジの切替えを受けて電流増幅器６の出力電圧Ｖｏｕｔを外部に出力する。
【００１４】
このように、電流増幅器６の出力レベルが基準電圧を越えているとき出力トランジスタＱ１を「オン」し、基準電圧以下となったとき出力トランジスタＱ１を「オフ」するため、一方では、出力トランジスタＱ１が「オン」して負荷３に流れる電流Ｉが大きいときには電流検出抵抗Ｒ１での電力消費が少なくて済む。他方では、出力トランジスタＱ１が「オフ」して負荷３に流れる電流Ｉが小さくなったとき、この電流Ｉは全て電流検出抵抗Ｒ１を流れるので、高精度の電流検出を行うことができる。
【００１５】
【特許文献１】
特開２００２−００６９６７号公報（図１、図２）
【００１６】
【発明が解決しようとする課題】
上述した従来の電流検出回路では、最近の多種にわたる負荷状態または電源システムに対して、木目の細かい対応が不十分であり、かつ精度の更なる向上が求められているという問題点がある。
【００１７】
その理由は、大小の電流値検出範囲が、負荷に供給される電流値のみに限定され、かつ電流検出抵抗に並列にトランジスタの内部抵抗を接続するか否かにより決定されているからである。また、このトランジスタの内部抵抗の並列接続により上記図２に示される切替電流値Ｉｓにばらつきが生じるからである。
【００１８】
本発明の課題は、このような問題点を解決し、更に木目細かく、高精度に電流値を検出できる電流検出回路を提供することである。
【００１９】
【課題を解決するための手段】
本発明による電流検出回路（１０）は、電流検出部（１１）と出力電圧増幅部（１２）とを備えるものであって、上記課題を解決することを目的として、従来の構成に加え、出力電圧増幅部（１２）は複数の利得を選択することが可能な利得選択スイッチ（ＳＷＧ・２４）を有している。
【００２０】
すなわち、利得選択スイッチ（ＳＷＧ・２４）は抵抗素子（Ｒ１４〜Ｒ２１）により二段階の利得を選択できるので小さな電流値での精度を上げることができる。勿論、複数抵抗素子の多段階の構成により、大きな電流値から小さな電流値までに対して段階的に精度を上げることができる。従って、安価な抵抗素子の採用と、細かな分割により低電流側において精度のより高い電流値検出が可能である。
【００２１】
基本的には、電流検出回路（１０）は、出力端子（ＯＵＴ＋）に接続される負荷（３）に入力端子（Ｖｉｎ）から電流検出抵抗（Ｒ１１）を介して供給される電流値Ｉを、電流検出抵抗（Ｒ１１）の両端に接続しその電位差を検出して電流値に変換し出力する電流検出部（１１）を備えている。
【００２２】
本発明による電流検出回路（１０）は、更に、電流検出部（１１）が検出した電流値を電圧変換し、変換された電圧値を増幅し出力電圧Ｖｏｕｔとして電圧出力端子（Ｖｏｕｔ）から外部へ出力する出力電圧増幅部（１２）を備えている。出力電圧増幅部（１２）は、増幅する利得を二段階に選択設定する抵抗素子（Ｒ１４〜Ｒ２１）を有し、出力電圧増幅部（１２）で増幅された出力電圧Ｖｏｕｔの利得を、この出力電圧Ｖｏｕｔを受ける外部のプロセッサから受けた利得の選択指示である利得選択信号ＧＳＥＬに基づき、抵抗素子（Ｒ１４〜Ｒ２１）を選択して利得を切り替える利得選択スイッチ（ＳＷＧ・２４）を有している。
【００２３】
出力電圧増幅部（１２）は、電流検出部（１１）の検出した電流値を電圧変換し、増幅して外部プロセッサに出力電圧Ｖｏｕｔとして出力するものである。また、増幅に際して利得選択スイッチ（ＳＷＧ・２４）は、直列接続された抵抗素子（Ｒ１４〜Ｒ２１）を選択設定することにより、分圧された電圧値と比較してハイ（Ｈ）レベルとロー（Ｌ）レベルとの二段階に増幅度を切り替えている。勿論、直列接続された抵抗素子の構成により増幅する利得を二段階以上の多数段階に選択設定することが可能である。
【００２４】
詳細に示すならば、出力電圧増幅部（１２）は、電圧出力端子（Ｖｏｕｔ）から接地側にわたり直列接続され中央部に電流検出部（１１）の出力を接続する抵抗（Ｒ１４〜Ｒ２１）と電圧出力端子（Ｖｏｕｔ）に出力を接続する演算増幅器（２５）とを備えている。また、利得選択スイッチ（ＳＷＧ・２４）は、演算増幅器（２５）の反転入力端子に直列抵抗の電圧出力端子側、かつ非反転入力端子に直列抵抗の接地側、それぞれで増幅度の切替接点を有しており、外部のプロセッサから受ける利得の選択指示により、切替接点を駆動して演算増幅器（２５）の出力に対して増幅度を切り替えている。
【００２５】
更に、電流検出部（１１）も、電流検出抵抗の両端を入力しその通過電流に対する高低それぞれの範囲を検出して検出電流値として生成すると共に、外部プロセッサから受ける選択指示により高低の電流範囲を選択して切り替える電流範囲切替スイッチ（ＳＷＩ・２３）を有している。
【００２６】
電流検出部（１１）の電流値検出は、電流検出抵抗の両端を入力端子に接続して高電流側を検出し出力する第１の電圧電流コンバータ（２１）と低電流側を検出し出力する第２の電圧電流コンバータ（２２）とを備え、電流範囲切替スイッチ（ＳＷＩ・２３）は、二つの電圧電流コンバータ（２１，２２）の出力端子を選択して切り替える切替接点を有し、外部プロセッサから受ける電流範囲の選択指示により、上記切替接点を駆動して電流範囲の高低を切り替えている。
【００２７】
このような構成により、電流検出にはトランジスタの内部抵抗を含まず、一つの電流検出抵抗（Ｒ１１）のみで電流値を検出するため、検出する電流値精度を向上させている。上述した利得の切替も抵抗素子の切替のみであり、切替時点のばらつきは相対的に小さい。
【００２８】
上記括弧内の符号は、理解を容易にするために付したものであり、一例にすぎず、これらに限定されない。
【００２９】
【発明の実施の形態】
次に、本発明の実施の形態について図面を参照して説明する。
【００３０】
図３は本発明の実施の一形態を示す回路ブロック図である。
【００３１】
基本的に、電流検出回路１０は、出力端子ＯＵＴ＋に接続される負荷３に入力端子Ｖｉｎから電流検出抵抗Ｒ１１を介して供給される電流値Ｉを、電流検出抵抗Ｒ１１の両端に接続しその電位差を検出して電流値に変換し出力する電流検出部１１を備えている。しかし、図３に示された電流検出回路１０では、電流検出部１１の出力を増幅して出力電圧Ｖｏｕｔを生成して出力する出力電圧増幅部１２を備えるものである。
【００３２】
図１で示された本発明における従来との相違は、出力電圧Ｖｏｕｔが電流検出部に相当する電流増幅器の出力を、利得切替えを有する出力電圧増幅部により増幅している点、および電流検出部の構成についてである。また、負荷電流Ｉの切替え、および電流制御信号の生成は、例えば、外部のプロセッサ（図示されていない）に任せ、入力選択信号ＩＳＥＬが入力する。更に、利得切替えの指示も利得選択信号ＧＳＥＬによりプロセッサから指示されるものとする。
【００３３】
本発明による電流検出回路１０は、電流検出部１１と出力電圧増幅部１２とを主要部に備え、一つの半導体集積化回路として形成される。
【００３４】
電流検出部１１は、電流検出抵抗Ｒ１１の両端を入力しその通過電流に対する高低それぞれの範囲を検出して検出電流値として生成する電圧電流コンバータ２１および電圧電流コンバータ２２、並びに、外部プロセッサから受ける選択指示により高低の電流範囲を選択して切り替える電流範囲切替スイッチ（以後、ＳＷＩと略称する）２３とを備えている。
【００３５】
出力電圧増幅部１２は、増幅する利得を二段階に選択設定する抵抗素子Ｒ１４〜Ｒ２１と、抵抗素子Ｒ１４〜Ｒ２１を選択して利得を切り替える利得選択スイッチ（以後、ＳＷＧと略称する）２４と、このＳＷＧ２４で利得を切り替えられた電圧値を入力して増幅し出力電圧Ｖｏｕｔとして外部に送出する演算増幅器２５とを有している。
【００３６】
更に、電流検出回路１０は、演算増幅器２６および抵抗Ｒ１２，Ｒ１３を有し電流検出部１１の電流出力を電圧値に変換する電流電圧変換部と、この電流電圧変換部および出力電圧増幅部１２の接地側を所定のバイアス電位ＶＢに設定するコンパレータ２７とを備える。
【００３７】
電流検出部１１において、電圧電流コンバータ２１は、電流検出抵抗Ｒ１１の両端を入力端子に接続し出力端子をＳＷＩ２３のＨ（ハイ）端子に接続して高電流側での差電圧を検出し出力する。電圧電流コンバータ２２は、電流検出抵抗Ｒ１１の両端を入力端子に接続し出力端子をＳＷＩ２３のＬ（ロー）端子に接続して低電流側での差電圧を検出し出力する。ＳＷＩ２３は、二つの電圧電流コンバータ２１，２２の出力に接続する端子Ｈ，Ｌそれぞれを選択して切り替える切替接点を有し、外部プロセッサから受ける電流範囲の選択指示により、上記切替接点を駆動して電流範囲の高低を切り替えている。
【００３８】
出力電圧増幅部１２において、抵抗素子Ｒ１４〜Ｒ２１はこの番号符号の順序で電圧出力端子Ｖｏｕｔからコンパレータ２７の出力端子まで直列に接続されている。
【００３９】
抵抗素子Ｒ１４，Ｒ１５の接続点にはＳＷＧ２４で利得選択信号ＧＳＥＬがＬレベルの際に演算増幅器２５の反転入力端子と接続する接点端子が接続される。抵抗素子Ｒ１５，Ｒ１６の接続点にはＳＷＧ２４で利得選択信号ＧＳＥＬがＨレベルの際に演算増幅器２５の反転入力端子と接続する接点端子が接続される。
【００４０】
抵抗素子Ｒ１６，Ｒ１７の接続点には、演算増幅器２６の出力端子が接続される。抵抗素子Ｒ１７，Ｒ１８の接続点には演算増幅器２６の帰還抵抗となる抵抗素子Ｒ１２が接続される。抵抗素子Ｒ１８，Ｒ１９の接続点には演算増幅器２６のバイアス抵抗となる抵抗素子Ｒ１３が接続される。
【００４１】
抵抗素子Ｒ１９，Ｒ２０の接続点には、ＳＷＧ２４で利得選択信号ＧＳＥＬがＨレベルの際に演算増幅器２５の非反転入力端子と接続する接点端子が接続される。抵抗素子Ｒ２０，Ｒ２１の接続点には、ＳＷＧ２４で利得選択信号ＧＳＥＬがＬレベルの際に演算増幅器２５の非反転入力端子と接続する接点端子が接続される。
【００４２】
ＳＷＧ２４は、出力電圧Ｖｏｕｔを受ける外部プロセッサから受けた利得の選択指示である利得選択信号ＧＳＥＬに基づき、切替接点をＨ端子又はＬ端子に接続して抵抗素子Ｒ１４〜Ｒ２１を選択し、分圧された電圧値と比較してＨレベルとＬレベルとの二段階に増幅度を切り替える。この結果、演算増幅器２５による増幅度が変化し出力電圧増幅部１２で増幅された出力電圧Ｖｏｕｔの利得を切り替えることができる。勿論、直列接続された抵抗素子の構成により増幅する利得を二段階以上の多数段階に選択設定することが可能である。
【００４３】
電流電圧変換部を形成する演算増幅器２６は、電流検出部１１の電流出力を接続する反転入力端子に抵抗Ｒ１２を介して上記抵抗Ｒ１７と抵抗Ｒ１８との接続点に接続し、非反転入力端子に抵抗Ｒ１３を介してコンパレータ２７の反転入力端子に接続する。
【００４４】
コンパレータ２７は、出力端子を反転入力端子に接続し、非反転入力端子をバイアス電位ＶＢに接続しており、かつ、出力端子を出力電圧増幅部１２の接地側バイアス抵抗Ｒ２１と演算増幅器２６のバイアス抵抗Ｒ１３とに接続している。
【００４５】
図４は、上述した構成により切り替えて得られる図３の電流検出回路１０から送出される出力電圧Ｖｏｕｔと検出電流値Ｉとの関係を示す図である。
【００４６】
外部プロセッサは、例えば充電の際にＨレベル、また負荷接続した放電の際にＬレベルの入力選択信号ＩＳＥＬをＳＷＩ２３に送る。従って、入力選択信号ＩＳＥＬにより受ける「Ｌ」と「Ｈ」との変換点は検出電流値Ｉｓの点である。
【００４７】
更に、外部プロセッサは、受ける出力電圧Ｖｏｕｔを電圧計で電流値変換する際、電圧値が上昇して所定の電圧値Ｖｓｈを越えた際、例えば電圧計の測定範囲を超えた場合にＬレベルからＨレベルに利得選択信号ＧＳＥＬを切り替える一方で、Ｈレベルにあって受ける電圧値が所定の電圧値Ｖｓｌまで下がった場合にはＬレベルに切り替えている。
【００４８】
この結果、従来の定常電流のみの二段階の切替えが、利得の二段階切替えにより４段階に切り替えられるので、低電流側の計測値の精度が高電流側と比較し、より高められている。
【００４９】
上記説明では、利得切替えを二段階としたが、更に多くの段階で切り替えてもよい。また、図３に示した部分のみを一つの半導体集積回路としたが、周辺の関連回路を取込んでもよい。
【００５０】
すなわち、上記説明では、図示された回路ブロックを参照しているが、機能の分離併合による配分などの変更および追加は上記機能を満たす限り自由であり、上記説明が本発明を限定するものではなく、定常電流を検出して電圧変換し、電流値を計測する回路又は装置の全般に適用可能である。
【００５１】
【発明の効果】
以上説明したように本発明によれば、小型化された安価な電流検出回路で、しかも高精度の計測値が得られるという効果を得ることができる。
【００５２】
その理由は、一つの電流検出抵抗で検出する定常電流の大小を切り替えるのに加えて、更に、複数の抵抗素子を用いて計測する電圧値の増幅度をも切り替えるからである。
【００５３】
すなわち、電流検出部の出力を、利得選択スイッチでは複数の抵抗素子により二段階の利得を選択できるので、小さな電流値での精度を上げることができるからである。勿論、複数抵抗素子の多段階の構成により、大きな電流値から小さな電流値に段階的に精度を上げることができる。単純な回路形成による抵抗素子により計測値が決定されるので安価であると共に高精度が確保できる。また、電流検出にはトランジスタの内部抵抗を含まず、電圧電流コンバータにより一つの電流検出抵抗のみから電流値を検出するため、検出する電流値精度を向上させているからである。
【図面の簡単な説明】
【図１】従来の回路ブロックの一例を示す図である。
【図２】図１における計測電流と出力電圧との関係を示す図である。
【図３】本発明における回路ブロックの実施の一形態を示す図である。
【図４】図３における計測電流と出力電圧との関係を示す図である。
【符号の説明】
１０    電流検出回路
１１    電流検出部
１２    出力電圧増幅部
２１、２２    電圧電流コンバータ
２３    電流範囲切替スイッチ（ＳＷＩ）
２４    利得選択スイッチ（ＳＷＧ）
２５、２６    演算増幅器
２７    コンパレータ
【図１】
2004286657.tif 000003
【図２】
2004286657.tif 000004
【図３】
2004286657.tif 000005
【図４】
2004286657.tif 000006